(57)【要約】【課題】光源の熱の放熱性が低下するのを抑制しながら、フレームの表面温度が高くなるのを抑制し、かつ、フレームが大型化するのを抑制することが可能なプロジェクタを提供する。【解決手段】このプロジェクタでは、光源１０ａは、下部フレーム４の前部フレーム１側に配置され、温度制御用ファン１２は、下部フレーム４の前部フレーム１側に配置されている。また、前部フレーム１には、光源１０ａの熱を外側に放熱するための導風部材７が設けられており、導風部材７は、前部フレーム１の外側に回動した状態で、光源１０ａの熱を投影レンズ５から離れる方向に放熱する方向に向くように設けられている。また、メインスイッチ８は、導風部材７を所定の位置に固定するための凹部８ａを有するとともに、導風部材７が前部フレーム８の外側に回動した状態でオン状態になり、かつ、導風部材７が前部フレーム１の外側に回動しない状態でオフ状態になる。【選択図】図７
2006208505.tif 000002
【特許請求の範囲】
【請求項１】
前面および後面を有するフレームと、前記フレームの内部に配置される光源と、前記光源を冷却するための送風機と、前記フレームの前面から映像を投影する投影レンズと、プロジェクタを駆動するための主スイッチとを備えたプロジェクタにおいて、
前記光源は、前記フレームの内部の前記前面側に配置されており、
前記送風機は、前記フレームの内部の前記前面側に配置されており、
前記フレームの前面には、前記光源の熱を前記フレームの外側に放熱するための導風部材が設けられており、
前記導風部材は、前記フレームの外側に突出するように回動可能に設けられており、
前記導風部材の前面部は、前記フレームの外側に突出するように回動した状態で、前記光源の熱を前記投影レンズから離れる方向に放熱する方向に向くように設けられており、
前記主スイッチは、前記導風部材に係合するように配置され、前記導風部材を所定の位置に固定するための支持部を有するとともに、前記導風部材が前記フレームの外側に突出するように回動した状態でオン状態になり、かつ、前記導風部材が前記フレームの外側に回動しない状態でオフ状態になる、プロジェクタ。
【請求項２】
前面および後面を有するフレームと、
前記フレームの内部の前記前面側に配置される光源と、
前記フレームの内部の前記前面側に配置され、前記光源を冷却する送風機とを備え、
前記フレームの前面には、前記光源の熱を前記フレームの外側に放熱するための導風部材が設けられており、
前記導風部材は、前記フレームの外側に突出するように移動可能に設けられている、プロジェクタ。
【請求項３】
前記導風部材に係合するように配置され、前記プロジェクタを駆動する主スイッチをさらに備え、
前記主スイッチは、前記導風部材が前記フレームの外側に突出するように移動した状態でオン状態になるとともに、前記導風部材が前記フレームの外側に移動しない状態でオフ状態になる、請求項２に記載のプロジェクタ。
【請求項４】
前記主スイッチは、前記導風部材に係合するように配置され、前記導風部材を所定の位置に固定する支持部を有する、請求項３に記載のプロジェクタ。
【請求項５】
前記フレームの前面から映像を投影する投影レンズをさらに備え、
前記導風部材は、前記フレームの外側に突出するように回動可能に設けられており、
前記導風部材の前面部は、前記フレームの外側に突出するように回動した状態で、前記光源の熱を前記投影レンズから離れる方向に放熱する方向に向くように設けられている、請求項２〜４のいずれか１項に記載のプロジェクタ。
【発明の詳細な説明】
【技術分野】
【０００１】
この発明は、プロジェクタに関し、特に、光源を備えたプロジェクタに関する。
【背景技術】
【０００２】
従来、光源を備えたプロジェクタが知られている（たとえば、特許文献１および特許文献２参照）。
【０００３】
上記特許文献１には、ケーシング（フレーム）の内部の前方（前面側）にランプ（光源）を配置するとともに、排気ファン（送風機）をケーシングの内部の後方（後面側）に配置することによって、ランプの熱をケーシングの後方から放熱するプロジェクタ装置が開示されている。
【０００４】
また、上記特許文献２には、外装ケース（フレーム）の内部にランプ（光源）を配置するとともに、ランプの熱を外装ケースの内部に設けたダクトを介して外装ケースの外側に放熱するビデオプロジェクタが開示されている。
【０００５】
図９は、従来の一例によるプロジェクタの全体構成を示した斜視図である。図１０は、図９に示した従来の一例によるプロジェクタの平面図である。図１１および図１２は、図９に示した従来の一例によるプロジェクタの構造を詳細に説明するための斜視図である。まず、図９〜図１２を参照して、従来の一例によるプロジェクタの構造について説明する。
【０００６】
従来の一例によるプロジェクタは、図９に示すように、前部フレーム１０１、後部フレーム１０２、上部フレーム１０３および下部フレーム１０４を備えている。また、前部フレーム１０１の一方の端部側（矢印Ａ方向側）の部分には、映像を投影するための投影レンズ１０５が挿入されるレンズ挿入部１０１ａが形成されている。また、図１２に示すように、前部フレーム１０１の中央の部分から他方の端部側（矢印Ｂ方向側）の部分には、排気口１０１ｂが設けられている。排気口１０１ｂには、複数のルーバ１０１ｃが設けられている。また、排気口１０１ｂの上方および下方には、取付部１０１ｄおよび１０１ｅがそれぞれ２つずつ配置されている。また、前部フレーム１０１には、導風部材１０６が取り付けられている。また、導風部材１０６には、ネジ挿入穴を有する凸部１０６ａおよび１０６ｂがそれぞれ２つずつ一体的に形成されている。また、導風部材１０６の凸部１０６ａおよび１０６ｂは、図１１に示すように、ネジ１３０により取付部１０１ｄおよび１０１ｅ（図１２参照）にそれぞれ取り付けられている。また、導風部材１０６には、排気口１０６ｃが形成されている。この排気口１０６ｃには、図１０に示すように、投影レンズ１０５から離れる方向（矢印Ｃ方向）に向かって排気するように複数のルーバ１０６ｄが設けられている。また、導風部材１０６の内側の部分には、図１１および図１２に示すように、熱を分散させることにより導風部材１０６が高温になりすぎるのを抑制するためのアルミ板１０７が取り付けられている。
【０００７】
また、図１０に示すように、下部フレーム１０４の一方（矢印Ａ方向）側の側面には、空気を取り入れるための吸気口１０４ａが設けられている。また、下部フレーム１０４の一方（矢印Ａ方向）側の側面には、メインスイッチ１０８が設けられている。また、下部フレーム１０４の前部フレーム１０１の近傍には、ランプケースホルダ１０９が設置されている。また、ランプケースホルダ１０９の内部には、光源ランプ１１０が装着されたランプケース１１１が収納されている。光源ランプ１１０は、光を発する光源１１０ａと、光源１１０ａが発する光を反射して集光するためのリフレクタ１１０ｂとを備えている。
【０００８】
また、下部フレーム１０４の前部フレーム１０１側の部分には、光源ランプ１１０へ所定の風量を導風することにより、光源１１０ａの温度を制御するための温度制御用ファン１１２が設けられている。
【０００９】
また、下部フレーム１０４には、レンズ装着部１１３ａを備えたキャスティング１１３が設置されている。また、キャスティング１１３のレンズ装着部１１３ａには、投影レンズ１０５が装着されている。また、キャスティング１１３には、光源ランプ１１０の光源１１０ａから照射された光が集光される位置に、光を矩形状に成形するためのライトトンネル１１４が取り付けられている。このライトトンネル１１４は、ライトトンネルクリップ１１５によってキャスティング１１３に固定されている。また、ライトトンネル１１４は、光源ランプ１１０からの光が入射される入口部１１４ａおよび入射された光が出射される出口部１１４ｂを有する。また、ライトトンネル１１４の出口部１１４ｂ側には、ライトトンネル１１４によって成形された光が透過する透過部材１１６がキャスティング１１３に取り付けられている。また、ライトトンネル１１４および透過部材１１６の側方には、冷却ファン１１７が温度制御用ファン１１２と隣接するように設置されている。この冷却ファン１１７は、下部フレーム１０４の吸気口１０４ａから空気を取り入れるとともに、その取り入れた空気を、ライトトンネル１１４などの光学部品やキャスティング１１３へ導風することにより、ライトトンネル１１４などの光学部品やキャスティング１１３を冷却するために設けられている。
【００１０】
また、キャスティング１１３には、透過部材１１６を透過した光を反射するためのミラー１１８が設置されている。また、キャスティング１１３の外側には、ミラー１１８によって反射された光をさらに反射して投影レンズ１０５に光を供給するためのＤＭＤ素子（Ｄｉｇｉｔａｌ  Ｍｉｃｒｏｍｉｒｒｏｒ  Ｄｅｖｉｃｅ）１１９が設けられている。このＤＭＤ素子１１９は、表面に多数の反射部を有するとともに、それら多数の反射部を画像信号に応じて変位させ、反射光の有無によって画像を形成する。また、ＤＭＤ素子１１９とミラー１１８との間には、レンズ１２０が設けられている。このレンズ１２０は、ミラー１１８によって反射された光をＤＭＤ素子１１９の反射部に集光する機能を有する。また、ＤＭＤ素子１１９は、プリント基板１２１に取り付けられている。このプリント基板１２１には、ＤＭＤ素子１１９の熱を放熱するためのヒートシンク部材１２２が取り付けられている。
【００１１】
次に、図９および図１０を参照して、従来の一例によるプロジェクタの動作について説明する。まず、図１０に示すように、光源ランプ１１０の光源１１０ａから発する光が光源ランプ１１０のリフレクタ１１０ｂによって集光されることによりライトトンネル１１４の入口部１１４ａに入射される。その後、ライトトンネル１１４の入口部１１４ａに入射された光は、矩形状に成形されてライトトンネル１１４の出口部１１４ｂから出射される。ライトトンネル１１４の出口部１１４ｂから出射された光は、矢印Ｄ方向に進行するとともに、透過部材１１６を透過してミラー１１８に入射される。ミラー１１８に入射した光は、ミラー１１８によって矢印Ｅ方向に反射される。このミラー１１８によって反射された光は、レンズ１２０を介してＤＭＤ素子１１９に入射される。ＤＭＤ素子１１９に入射された光は、ＤＭＤ素子１１９によって矢印Ｆ方向に反射されて投影レンズ１０５に供給される。これにより、投影レンズ１０５からスクリーンなどに映像が投影される。
【００１２】
上記のようなプロジェクタの動作時には、温度制御用ファン１１２および冷却ファン１１７が回転される。まず、温度制御用ファン１１２が回転することにより、所定の風量の空気が光源ランプ１１０へ導かれるとともに、前部フレーム１０１の導風部材１０６に取り付けられたアルミ板１０７に導かれる。このとき、アルミ板１０７に導かれた空気の熱は、アルミ板１０７によって分散される。そして、アルミ板１０７に導かれた風は、前部
フレーム１０１の排気口１０６ｃおよび１０１ｂ（図９参照）から排出される。これにより、光源１１０ａの温度が所定の温度に制御される。また、冷却ファン１１７が回転することにより、所定の風量の空気がライトトンネル１１４などの光学部品やキャスティング１１３へ導かれるとともに、前部フレーム１０１の排気口１０６ｃおよび１０１ｂ（図９参照）から排出される。これにより、ライトトンネル１１４などの光学部品やキャスティング１１３が冷却される。また、温度制御用ファン１１２および冷却ファン１１７が回転することにより、下部フレーム１０４の吸気口１０４ａから空気が取り入れられる。
【特許文献１】特開２００３−３２２９１１号公報
【特許文献２】特開２００２−１４８７１６号公報
【発明の開示】
【発明が解決しようとする課題】
【００１３】
図９〜図１２に示した従来のプロジェクタでは、光源ランプ１１０を通過した風により導風部材１０６が高温になりすぎるのを抑制するために、導風部材１０６に熱を分散させるためのアルミ板１０７を取り付けている。しかしながら、上記した従来のプロジェクタでは、光源ランプ１１０から導風部材１０６までの距離が小さいので、導風部材１０６の表面温度が大きくなるのを十分に抑制することが困難であるという問題点があった。この場合、光源ランプ１１０から導風部材１０６までの距離を大きくするために光源ランプ１１０から前部フレーム１０１までの距離を大きくすれば、前部フレーム１０１が大型化するという問題点がある。
【００１４】
また、上記特許文献１に開示された構造では、ケーシング（フレーム）の内部の前方（前面側）にランプを配置するとともに、排気ファンをケーシングの内部の後方（後面側）に配置するので、ランプから排気ファン（送風機）までの距離が大きくなる。このため、ランプ（光源）の熱の放熱性が低下するという問題点がある。
【００１５】
また、上記特許文献２に開示された構造では、ランプ（光源）の熱を外装ケースの外側に放熱するために外装ケースの内部にダクトを設けるので、外装ケース（フレーム）が大型化するという問題点がある。
【００１６】
この発明は、上記のような課題を解決するためになされたものであり、この発明の１つの目的は、光源の熱の放熱性が低下するのを抑制しながら、フレームの表面温度が高くなるのを抑制し、かつ、フレームが大型化するのを抑制することが可能なプロジェクタを提供することである。
【課題を解決するための手段】
【００１７】
この発明の第１の局面によるプロジェクタは、前面および後面を有するフレームと、フレームの内部に配置される光源と、光源を冷却するための送風機と、フレームの前面から映像を投影する投影レンズと、プロジェクタを駆動するための主スイッチとを備えたプロジェクタにおいて、光源は、フレームの内部の前面側に配置されており、送風機は、フレームの内部の前面側に配置されており、フレームの前面には、光源の熱をフレームの外側に放熱するための導風部材が設けられており、導風部材は、フレームの外側に突出するように回動可能に設けられており、導風部材の前面部は、フレームの外側に突出するように回動した状態で、光源の熱を投影レンズから離れる方向に放熱する方向に向くように設けられており、主スイッチは、導風部材に係合するように配置され、導風部材を所定の位置に固定するための支持部を有するとともに、導風部材がフレームの外側に突出するように回動した状態でオン状態になり、かつ、導風部材がフレームの外側に回動しない状態でオフ状態になる。
【００１８】
この第１の局面によるプロジェクタでは、上記のように、フレームの内部の前面側に配置される光源と、フレームの内部の前面側に配置され、光源を冷却する送風機とを設けることによって、光源と送風機との距離を小さくすることができるので、送風機からの風により光源の熱を有効に放熱することができる。これにより、光源の熱の放熱性が低下するのを抑制することができる。また、フレームの前面に、フレームの外側に突出するように回動可能な導風部材を設けることによって、プロジェクタの作動時に導風部材をフレームの外側に突出させるようにすれば、光源から導風部材までの距離を大きくすることができるので、光源の熱により導風部材の表面温度が高くなるのを抑制することができる。また、導風部材を、フレームの外側に突出するように回動可能に設けることによって、導風部材をフレームの外側に回動させない状態では、導風部材がフレームの外側に突出するのを抑制することができるので、フレームが大きくなるのを抑制することができる。また、主スイッチを、導風部材がフレームの外側に突出するように回動した状態でオン状態にするとともに、導風部材がフレームの外側に回動しない状態でオフ状態にすることによって、主スイッチがオン状態で光源が高温になる場合に、導風部材をフレームの外側に突出した状態にすることができる。これにより、光源が高温になる場合に、光源から導風部材までの距離を確実に大きくすることができるので、光源の熱により導風部材が高温になるのを確実に抑制することができる。また、主スイッチに、導風部材を所定の位置に固定するための支持部を設けることによって、導風部材が動くのを抑制することができる。また、導風部材の前面部を、フレームの外側に突出するように回動した状態で、光源の熱を投影レンズから離れる方向に放熱する方向に向くように構成することによって、投影レンズ近傍の空気が高温になるのを抑制することができるので、投影レンズから映し出される映像が熱により揺らぐのを抑制することができる。
【００１９】
この発明の第２の局面によるプロジェクタは、前面および後面を有するフレームと、フレームの内部の前面側に配置される光源と、フレームの内部の前面側に配置され、光源を冷却する送風機とを備え、フレームの前面には、光源の熱をフレームの外側に放熱するための導風部材が設けられており、導風部材は、フレームの外側に突出するように移動可能に設けられている。
【００２０】
この第２の局面によるプロジェクタでは、上記のように、フレームの内部の前面側に配置される光源と、フレームの内部の前面側に配置され、光源を冷却する送風機とを設けることによって、光源と送風機との距離を小さくすることができるので、送風機からの風により光源の熱を有効に放熱することができる。これにより、光源の熱の放熱性が低下するのを抑制することができる。また、フレームの前面に、フレームの外側に突出するように移動可能な導風部材を設けることによって、プロジェクタの作動時に導風部材をフレームの外側に突出させるようにすれば、光源から導風部材までの距離を大きくすることができるので、光源の熱により導風部材の温度が高くなるのを抑制することができる。また、導風部材を、フレームの外側に突出するように移動可能に設けることによって、導風部材をフレームの外側に移動させない状態では、導風部材がフレームの外側に突出するのを抑制することができるので、フレームが大きくなるのを抑制することができる。
【００２１】
上記第２の局面によるプロジェクタにおいて、好ましくは、導風部材に係合するように配置され、プロジェクタを駆動する主スイッチをさらに備え、主スイッチは、導風部材がフレームの外側に突出するように移動した状態でオン状態になるとともに、導風部材がフレームの外側に移動しない状態でオフ状態になる。このように構成すれば、主スイッチがオン状態で光源が高温になる場合に、導風部材をフレームの外側に突出した状態にすることができる。これにより、光源が高温になる場合に、光源から導風部材までの距離を確実に大きくすることができるので、光源の熱により導風部材が高温になるのを確実に抑制することができる。
【００２２】
上記第２の局面によるプロジェクタにおいて、好ましくは、主スイッチは、導風部材に係合するように配置され、導風部材を所定の位置に固定する支持部を有する。このように構成すれば、導風部材が動くのを抑制することができる。
【００２３】
上記第２の局面によるプロジェクタにおいて、好ましくは、フレームの前面から映像を投影する投影レンズをさらに備え、導風部材は、フレームの外側に突出するように回動可能に設けられており、導風部材の前面部は、フレームの外側に突出するように回動した状態で、光源の熱を投影レンズから離れる方向に放熱する方向に向くように設けられている。このように構成すれば、投影レンズ近傍の空気が高温になるのを抑制することができるので、投影レンズから映し出される映像が熱により揺らぐのを抑制することができる。
【発明を実施するための最良の形態】
【００２４】
以下、本発明の実施形態を図面に基づいて説明する。
【００２５】
図１は、本発明の一実施形態によるプロジェクタの全体構成を示した斜視図である。図２は、図１に示した一実施形態によるプロジェクタの平面図である。図３〜図８は、図１に示した一実施形態によるプロジェクタの構造を詳細に説明するための図である。まず、図１〜図８を参照して、本発明の一実施形態によるプロジェクタの構造について説明する。
【００２６】
本発明の一実施形態によるプロジェクタは、図１に示すように、前部フレーム１、後部フレーム２、上部フレーム３および下部フレーム４を備えている。これら前部フレーム１、後部フレーム２、上部フレーム３および下部フレーム４によって、フレームが構成されている。なお、前部フレーム１は、本発明の「フレームの前面」の一例であり、後部フレーム２は、本発明の「フレームの後面」の一例である。また、前部フレーム１の一方の端部側（矢印Ａ方向側）の部分には、映像を投影するための投影レンズ５が挿入されるレンズ挿入部１ａが形成されている。また、図１および図５に示すように、前部フレーム１の中央の部分および他方の端部側（矢印Ｂ方向側）の部分には、排気口１ｂおよび開口部１ｃがそれぞれ設けられている。排気口１ｂには、複数のルーバ１ｄが設けられている。この排気口１ｂのルーバ１ｄは、水平方向に対して約３０度下方向に向かって排気するように形成されている。また、図５に示すように、排気口１ｂの上方および下方には、取付部１ｅおよび１ｆがそれぞれ配置されている。また、開口部１ｃの近傍の上側の部分および下側の部分には、挿入孔を有する取付部１ｇおよび１ｈがそれぞれ設けられている。また、前部フレーム１には、導風部材６および７が取り付けられている。なお、導風部材７は、本発明の「導風部材」の一例である。また、導風部材６には、ネジ挿入穴を有する凸部６ａおよび６ｂが一体的に形成されるとともに、凸部６ａおよび６ｂは、ネジ３０により取付部１ｅおよび１ｆにそれぞれ取り付けられている。また、導風部材６には、排気口６ｃが形成されている。この排気口６ｃには、図３に示すように、投影レンズ５（図２参照）から離れる方向（矢印Ｃ方向）に向かって排気するように、平面的に見て前部フレーム１の前面に垂直な面に対してθ１（約４５度）傾斜された複数のルーバ６ｄが設けられている。
【００２７】
ここで、本実施形態では、図４および図５に示すように、導風部材７には、排気口７ａが設けられている。この排気口７ａには、図３に示すように、平面的に見て導風部材７の前面部に垂直な面に対してθ２（約３０度）傾斜された複数のルーバ７ｂが設けられている。また、導風部材７には、図１に示すように、排気口７ｃが設けられている。排気口７ｃには、複数のルーバ７ｄが設けられている。この排気口７ｃのルーバ７ｄは、水平方向に対して約３０度下方向に向かって排気するように形成されている。また、導風部材７の他方側の部分には、図５に示すように、取付部１ｇおよび１ｈの挿入孔にそれぞれ対応するように挿入部７ｅおよび７ｆが設けられている。また、導風部材７は、図６〜図８に示
すように、挿入部７ｅおよび７ｆ（図５参照）を回動中心として前部フレーム１の前面から外側にθ３（約１５度）（図８参照）回動可能に取付部１ｇおよび１ｈ（図５参照）に取り付けられている。これにより、導風部材７が外側に回動した状態では、図７および図８に示すように、導風部材７の排気口７ａおよび７ｃ（図６参照）は、矢印Ｃ方向に向かって排気する。
【００２８】
また、本実施形態では、導風部材７の上側の部分には、図４に示すように、メインスイッチ８の凹部８ａ（図３参照）に係合するための係合部７ｇが設けられている。なお、メインスイッチ８の凹部８ａは、本発明の「支持部」の一例である。
【００２９】
また、図２に示すように、下部フレーム４の一方（矢印Ａ方向）側の側面には、空気を取り入れるための吸気口４ａが設けられている。また、下部フレーム４の前部フレーム１の近傍には、ランプケースホルダ９が設置されている。
【００３０】
また、本実施形態では、ランプケースホルダ９の上部には、メインスイッチ８が取り付けられている。このメインスイッチ８は、ランプケースホルダ９に取り付けられる固定部８ｂと、オン状態およびオフ状態で固定部８ｂに対する突出量が変化するように設けられた突出部８ｃとを有している。また、メインスイッチ８は、突出部８ｃの固定部８ｂからの突出量が小さいオフ状態（図３参照）から、突出部８ｃを固定部８ｂ側に押圧することによって突出部８ｃの突出量が大きいオン状態（図８参照）になるように構成されている。また、メインスイッチ８は、突出部８ｃの固定部８ｂからの突出量が大きいオン状態（図８参照）から、突出部８ｃを固定部８ｂ側に押圧することによって突出部８ｃの突出量が小さいオフ状態（図３参照）になるように構成されている。すなわち、メインスイッチ８は、導風部材７が外側に回動した場合（図８参照）に、オン状態になるとともに、導風部材７が内側に回動した場合（図３参照）に、オフ状態になるように構成されている。また、突出部８ｃには、凹部８ａが形成されている。この凹部８ａは、図３および図８に示すように、導風部材７の係合部７ｇに係合するとともに、導風部材７が外側に回動した場合、および、導風部材７が内側に回動した場合に、導風部材７を所定の位置に固定する機能を有する。
【００３１】
また、ランプケースホルダ９の内部には、図２に示すように、光源ランプ１０が装着されたランプケース１１が収納されている。光源ランプ１０は、光を発する光源１０ａと、光源１０ａが発する光を反射して集光するためのリフレクタ１０ｂとを備えている。
【００３２】
また、本実施形態では、下部フレーム４の前部フレーム１側の部分には、光源ランプ１０へ所定の風量の空気を導風することにより、光源１０ａの温度を制御するための温度制御用ファン１２が設けられている。なお、温度制御用ファン１２は、本発明の「送風機」の一例である。
【００３３】
また、下部フレーム４には、レンズ装着部１３ａを備えたキャスティング１３が設置されている。また、キャスティング１３のレンズ装着部１３ａには、投影レンズ５が装着されている。また、キャスティング１３には、光源ランプ１０の光源１０ａから照射された光が集光される位置に、光を矩形状に成形するためのライトトンネル１４が取り付けられている。このライトトンネル１４は、ステンレス製のライトトンネルクリップ１５によってキャスティング１３に固定されている。
【００３４】
また、ライトトンネル１４は、光源ランプ１０からの光が入射される入口部１４ａおよび入射された光が出射される出口部１４ｂを有するとともに、筒状の４面体形状に形成されている。また、ライトトンネル１４の出口部１４ｂ側には、ライトトンネル１４によって成形された光が透過する透過部材１６がキャスティング１３に取り付けられている。ま
た、ライトトンネル１４および透過部材１６の側方には、冷却ファン１７が温度制御用ファン１２と隣接するように設置されている。この冷却ファン１７は、下部フレーム４の吸気口４ａから空気を取り入れるとともに、その取り入れた空気を、ライトトンネル１４などの光学部品やキャスティング１３へ導風することにより、ライトトンネル１４などの光学部品やキャスティング１３を冷却するために設けられている。
【００３５】
また、キャスティング１３には、透過部材１６を透過した光を反射するためのミラー１８が設置されている。また、キャスティング１３の外側には、ミラー１８によって反射された光をさらに反射して投影レンズ５に光を供給するためのＤＭＤ素子１９が設けられている。このＤＭＤ素子１９は、表面に多数の反射部を有するとともに、それら多数の反射部を画像信号に応じて変位させ、反射光の有無によって画像を形成する。また、ＤＭＤ素子１９とミラー１８との間には、レンズ２０が設けられている。このレンズ２０は、ミラー１８によって反射された光をＤＭＤ素子１９の反射部に集光する機能を有する。また、ＤＭＤ素子１９は、プリント基板２１に取り付けられている。このプリント基板２１には、ＤＭＤ素子１９の熱を放熱するためのヒートシンク部材２２が取り付けられている。
【００３６】
次に、図１〜図３および図６〜図８を参照して、本発明の一実施形態によるプロジェクタの動作について説明する。まず、メインスイッチ８（図３参照）のオフ状態（図１〜図３参照）において、導風部材７を外側から内側に押圧することによって、突出部８ｃ（図３参照）の固定部８ｂ（図３参照）からの突出量が大きくなるとともに、導風部材７が外側に突出するように回動する。これにより、メインスイッチ８がオン状態（図６〜図８参照）になる。そして、図７に示すように、光源ランプ１０の光源１０ａから発する光が光源ランプ１０のリフレクタ１０ｂによって集光されることによりライトトンネル１４の入口部１４ａに入射される。その後、ライトトンネル１４の入口部１４ａに入射された光は、矩形状に成形されてライトトンネル１４の出口部１４ｂから出射される。ライトトンネル１４の出口部１４ｂから出射された光は、矢印Ｄ方向に進行するとともに、透過部材１６を透過してミラー１８に入射される。ミラー１８に入射した光は、ミラー１８によって矢印Ｅ方向に反射される。このミラー１８によって反射された光は、レンズ２０を介してＤＭＤ素子１９に入射される。ＤＭＤ素子１９に入射された光は、ＤＭＤ素子１９によって矢印Ｆ方向に反射されて投影レンズ５に供給される。これにより、投影レンズ５からスクリーンなどに映像が投影される。また、プロジェクタをオフ状態にする場合には、メインスイッチ８のオン状態（図６〜図８参照）において、導風部材７を外側から内側に押圧することによって、突出部８ｃの固定部８ｂからの突出量が小さくなるとともに、導風部材７が内側に回動する。これにより、メインスイッチ８がオフ状態（図１〜図３参照）になる。
【００３７】
上記のようなプロジェクタの動作時には、温度制御用ファン１２および冷却ファン１７が回転される。まず、温度制御用ファン１２が回転することにより、所定の風量が光源ランプ１０へ導風されるとともに、前部フレーム１の導風部材７の排気口７ａ（図８参照）および７ｃ（図６参照）から矢印Ｃ方向の下方向に排出される。これにより、光源１０ａの温度が所定の温度に制御される。また、冷却ファン１７が回転することにより、所定の風量がライトトンネル１４などの光学部品やキャスティング１３へ導風されるとともに、前部フレーム１の排気口６ｃ（図７参照）および１ｂ（図６参照）から矢印Ｃ方向の下方向に排出される。これにより、ライトトンネル１４などの光学部品やキャスティング１３が冷却される。また、温度制御用ファン１２および冷却ファン１７が回転することにより、下部フレーム４の吸気口４ａから空気が取り入れられる。この下部フレーム４の吸気口４ａから取り入れられた空気は、ヒートシンク部材２２の近傍を通過するので、ＤＭＤ素子１９の熱を効率よく放熱させることが可能となる。
【００３８】
本実施形態では、上記のように、下部フレーム４の前部フレーム１側に配置される光源
１０ａと、下部フレーム４の前部フレーム１側に配置され、光源１０ａを冷却する温度制御用ファン１２とを設けることによって、光源１０ａと温度制御用ファン１２との距離を小さくすることができるので、温度制御用ファン１２からの風により光源１０ａの熱を有効に放熱することができる。これにより、光源１０ａの熱の放熱性が低下するのを抑制することができる。また、前部フレーム１に、前部フレーム１の外側に突出するように回動可能な導風部材７を設けることによって、プロジェクタの作動時に導風部材７を前部フレーム１の外側に突出させるようにすれば、光源１０ａから導風部材７までの距離を大きくすることができるので、光源１０ａの熱により導風部材７の表面温度が高くなるのを抑制することができる。また、導風部材７を、前部フレーム１の外側に突出するように回動可能に設けることによって、導風部材７を前部フレーム１の外側に回動させない状態では、導風部材７が前部フレーム１の外側に突出するのを抑制することができるので、前部フレーム１が大きくなるのを抑制することができる。
【００３９】
また、本実施形態では、メインスイッチ８を、導風部材７が前部フレーム１の外側に突出するように回動した状態でオン状態にするとともに、導風部材７が前部フレーム１の外側に回動しない状態でオフ状態にすることによって、メインスイッチ８がオン状態で光源１０ａが高温になる場合に、導風部材７を前部フレーム１の外側に突出した状態にすることができる。これにより、光源１０ａが高温になる場合に、光源１０ａから導風部材７までの距離を確実に大きくすることができるので、光源１０ａの熱により導風部材７が高温になるのを確実に抑制することができる。
【００４０】
また、本実施形態では、メインスイッチ８に、導風部材７を所定の位置に固定するための凹部８ａを設けるとともに、凹部８ａに導風部材７の係合部７ｇを係合させることによって、導風部材７が動くのを抑制することができる。
【００４１】
また、本実施形態では、導風部材７の前面部を、前部フレーム１の外側に突出するように回動した状態で、光源１０ａの熱を投影レンズ５から離れる方向に放熱する方向に向くように構成することによって、投影レンズ５近傍の空気が高温になるのを抑制することができるので、投影レンズ５近傍の空気が揺らぐのを抑制することができるので、投影レンズ５から映し出される映像が熱により揺らぐのを抑制することができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
たとえば、上記実施形態では、導風部材の係合部をメインスイッチの突出部の凹部に係合させた例を示したが、本発明はこれに限らず、導風部材の係合部をメインスイッチの突出部と一体的に設けてもよいし、導風部材をメインスイッチに係合させなくてもよい。
【００４４】
また、上記実施形態では、光源の熱を投影レンズから離れる方向に放熱した例を示したが、本発明はこれに限らず、光源の熱を投影レンズから離れる方向に放熱しなくてもよい。
【００４５】
また、上記実施形態では、所定の回動中心回りに回動する回動式の導風部材を設けることによって、光源から導風部材までの距離を大きくした例を示したが、本発明はこれに限らず、引出し式の導風部材を設けることによって、光源から導風部材までの距離を大きくしてもよい。
【図面の簡単な説明】
【００４６】
【図１】本発明の一実施形態によるプロジェクタの全体構成を示した斜視図である。
【図２】図１に示した一実施形態によるプロジェクタの平面図である。
【図３】図１に示した一実施形態によるプロジェクタの導風部材周辺を拡大した平面図である。
【図４】図１に示した一実施形態によるプロジェクタの前部フレームの構造を詳細に説明するための斜視図である。
【図５】図１に示した一実施形態によるプロジェクタの前部フレームの構造を詳細に説明するための斜視図である。
【図６】図１に示した一実施形態によるプロジェクタの動作時の構造を説明するための斜視図である。
【図７】図１に示した一実施形態によるプロジェクタの動作時の構造を説明するための平面図である。
【図８】図１に示した一実施形態によるプロジェクタの動作時の導風部材周辺を拡大した平面図である。
【図９】従来の一例によるプロジェクタの全体構成を示した斜視図である。
【図１０】図９に示した従来の一例によるプロジェクタの平面図である。
【図１１】図９に示した従来の一例によるプロジェクタの前部フレームの構造を詳細に説明するための斜視図である。
【図１２】図９に示した従来の一例によるプロジェクタの前部フレームの構造を詳細に説明するための斜視図である。
【符号の説明】
【００４７】
１  前部フレーム（前面）
２  後部フレーム（後面）
５  投影レンズ
７  導風部材
８  メインスイッチ（主スイッチ）
８ａ  凹部（支持部）
１０ａ  光源
１２  温度制御用ファン（送風機）
【図１】
2006208505.tif 000003
【図２】
2006208505.tif 000004
【図３】
2006208505.tif 000005
【図４】
2006208505.tif 000006
【図５】
2006208505.tif 000007
【図６】
2006208505.tif 000008
【図７】
2006208505.tif 000009
【図８】
2006208505.tif 000010
【図９】
2006208505.tif 000011
【図１０】
2006208505.tif 000012
【図１１】
2006208505.tif 000013
【図１２】
2006208505.tif 000014